(57)【要約】【課題】省スペース化を図ると共に、タンク本体の外面に付着する結露水が温水洗浄用の便器機能部品に落下することを防止して下方に誘導する。【解決手段】温水洗浄便器の洗浄水タンク装置６は、ロータンク５として洗浄水を貯留するタンク本体１０を設けた。タンク本体１０は上面１７から底面１８に向けて縮径し、底面１８をベースプレート１１に固定した。底面１８はベースプレート１１の水受け皿２４内に位置する。タンク本体１０の一方の側面１０ｃに凸曲面をなすように縮径する第一傾斜面１９を形成し、その下側のスペースＫ１に便器機能部品を設置した。タンク本体１０の他方の側面１０ｄには凸曲面をなすように縮径する第二傾斜面２０を形成し、その下側のスペースＫ２に脱臭器を設置した。第一及び第二傾斜面は付着する結露水が水受け皿に流れ落ちるように形成した。【選択図】図２
2016191240.tif 000002
【特許請求の範囲】
【請求項１】
洗浄水を貯留するタンク本体を設け、
前記タンク本体の外面を上側から下側に向けて縮径させることで付着する結露水を下方に導く傾斜面を形成し、
前記タンク本体の傾斜面の下側に設けたスペースに便器機能部品を設置したことを特徴とする洗浄水タンク装置。
【請求項２】
前記傾斜面は凸曲面である請求項１に記載された洗浄水タンク装置。
【請求項３】
前記傾斜面は前記タンク本体の一方または両方の側面に形成した請求項１または２に記載された洗浄水タンク装置。
【請求項４】
前記タンク本体の底面に結露水を受ける水受け部を設置し、該水受け部に隣接する位置に前記スペースを形成した請求項１から３のいずれか１項に記載された洗浄水タンク装置。
【発明の詳細な説明】
【技術分野】
【０００１】
本発明は、温水洗浄便座等に設けた洗浄水タンク装置に関する。
【背景技術】
【０００２】
従来、水洗便器では便器の洗浄水を内部に貯留する樹脂製の洗浄水タンクを備えたものが知られており、この洗浄水タンクは洗浄水を貯留する水面より下側のタンク外面に結露して結露水が付着することがあった。
【０００３】
特許文献１に記載された水洗便器では、ロータンク内に水道水を供給するときに、ロータンクの周壁が冷やされて結露水が生じるため、ロータンクの側壁にリブを設けて空気抜きホースを当接させることで、ロータンクの外面で生じた結露水が空気抜きホースを伝って外部に漏れ出すことを防止している。
【０００４】
また、特許文献２に記載された水洗便器では、略箱状のロータンクの下端部にロータンクより横幅の狭い筒状の弁部収納所が形成され、弁部収納所の下部には便器本体に排水可能な排水弁部を有している。そして、弁部収納所の両側には便器本体の上面に位置する温水洗浄機能部の電装部品と水気を嫌う脱臭器が設置されている。
【先行技術文献】
【特許文献】
【０００５】
【特許文献１】特開平８−１２０７３５号公報
【特許文献２】特開２００２−３２２７０８号公報
【発明の概要】
【発明が解決しようとする課題】
【０００６】
しかしながら、特許文献１記載のロータンク構造では、ロータンクが略箱状であり、その下部に結露水を受けるロータンク受けを設け、その下に温水タンクとベースプレートが設置されていてベースプレート上に温水洗浄機能部の電装部品を取り付ける構造であるため、タンク部分の高さが大きくなり占有スペースが増大するという欠点があった。  
また、特許文献２記載の便器のロータンク構造においては、箱状のロータンクの下部に形成した比較的小幅の弁部収納部の両側に温水洗浄機能部の電装部品と脱臭器を設けているが、ロータンクが箱状であるため、ロータンクの外周面に付着する結露水がロータンクの下端部を直角に仕切る角部から下方に落下してしまう。そのため、弁部収納部の両側面に載置した温水洗浄機能部の電装部品や脱臭器等に結露水が付着して漏電や機器の劣化や不具合等を起こすという欠点があった。
【０００７】
本発明は、このような課題に鑑みてなされたものであって、省スペース化を図ると共に、タンク本体の外面に付着する結露水が温水洗浄用の電気部品や脱臭器等の便器機能部品に落下することを防止して下方に誘導するようにした洗浄水タンク装置を提供することを目的とする。
【課題を解決するための手段】
【０００８】
本発明による洗浄水タンク装置は、洗浄水を貯留するタンク本体を設け、タンク本体の外面を上側から下側に向けて縮径させることで付着する結露水を下方に導く傾斜面を形成し、タンク本体の傾斜面の下側に設けたスペースに電気部品や脱臭器等の便器機能部品を設置したことを特徴とする。
本発明によれば、洗浄水を貯留するタンク本体の外面に傾斜面を設けたため、外面に付着する結露水は傾斜面に沿って下方に流れ落ちることになり、タンク本体の傾斜面の下側のスペースに設けた温水洗浄用電気部品や脱臭器等の便器機能部品に落下することがない。しかもタンク本体の外面に上側から下側に向けて縮径する傾斜面を設けたため、タンク本体の傾斜面の下側のスペースに温水洗浄用の電気部品や脱臭器等の便器機能部品を設置できて、洗浄水タンク装置を小型で省スペース化できる。
【０００９】
また、傾斜面は凸曲面であることが好ましい。
タンク本体の傾斜面を凸曲面で形成したために凸曲面に沿った結露水の下方への流れ落ちがスムーズで確実であり、水滴として傾斜面から離れて下方に滴下することを防止できる。
【００１０】
また、傾斜面はタンク本体の一方または両方の側面に形成することが好ましい。
タンク本体の一方または両方の側面に形成した傾斜面の下側に便器機能部品を設置することで、タンク本体の前後方向の長さが膨らむことがなく、室内スペースの狭いトイレ室にも設置できる。
【００１１】
また、タンク本体の底面に結露水を受ける水受け部を設置し、該水受け部に隣接する位置にスペースを形成してもよい。
タンク本体の外面に下方に向けて縮径する傾斜面を設けたその底面に結露水を受ける水受け部を設置したため、水受け部は小型であり、水受け部に隣接するタンク本体の下側のスペースは比較的大きくなり、便器機能部品を十分設置することができる。
【発明の効果】
【００１２】
本発明による洗浄水タンク装置によれば、洗浄水を貯留するタンク本体の外面に下側に向けて縮径する傾斜面を設けたため、タンク本体の傾斜面の下側のスペースに電装部品や脱臭器等の便器機能部品を設置でき、洗浄水タンク装置を小型できて省スペース化できる。
しかも、タンク本体の外面に傾斜面を設けたため、外面に付着する結露水は傾斜面に沿って下方に流れ落ちることになり、傾斜面の下側に設置した便器機能部品に落下することを防止できる。
【図面の簡単な説明】
【００１３】
【図１】本発明の実施形態による温水洗浄便器の斜視図である。
【図２】図１に示すロータンクのタンクカバー内側に設置したタンク本体とベースプレートを一部断面で示す説明図である。
【図３】タンク本体とベースプレートを分離した斜視図である。
【図４】タンク本体下部の両側部に便器機能部品と脱臭器を設置した洗浄水タンク装置の正面図である。
【図５】図４に示す洗浄水タンク装置の側面図である。
【図６】（ａ）、（ｂ）は洗浄水タンク装置におけるタンク本体の変形例を示す要部説明図である。
【発明を実施するための形態】
【００１４】
以下、本発明の実施形態による温水洗浄便器１を図１乃至図５に基づいて説明する。
図１は本発明の実施形態による温水洗浄便器１を示すものであり、例えば陶器製の便器本体２の上部に便座３が設置され、便座３の後端部には例えばロータンク５が設置されている。ロータンク５は外側に設けたタンクカバー７の上部に開閉可能な蓋部８が設置され、その内部には、図２に示すように、便器本体２内を洗浄するための洗浄水を貯留するタンク本体１０とベースプレート１１が設置されている。タンクカバー７とタンク本体１０とベースプレート１１は洗浄水タンク装置６を構成する。
【００１５】
図２及び図３に示す洗浄水タンク装置６において、タンク本体１０は例えば樹脂製または陶器製であり、その下端部にはベースプレート１１が連結されている。タンク本体１０内には、タンク本体１０内に洗浄水を供給するボールタップ９、オーバーフロー管１２、浮玉１３ａを備えたフラッパー弁１３等が設置されている。
タンク本体１０における下端部である底面１８にはタンク本体１０内の水を便器本体２内に排水するための略円筒状の排水口１５が下方に突出して形成されている。排水口１５には開閉可能なフラッパー弁１３が設置され、フラッパー弁１３は排水口１５の内側に位置する弁座１５ａを通過する洗浄水の排水と排水の停止を切り替える。
【００１６】
フラッパー弁１３にはオーバーフロー管１２に支持されたアーム部１６が連結され、アーム部１６の軸部を中心にフラッパー弁１３を開閉可能に支持している。フラッパー弁１３には図示しないロータンク外部の操作レバーにフラッシュモーター、Ｌ型シャフトを介して接続された玉鎖１４が連結され、操作レバーを回動することでフラッパー弁１３を開弁可能としている。
オーバーフロー管１２は例えば先細の略円筒状に形成されており、下端部は排水口１５に接続されている。タンク本体１０内の水位がオーバーフロー管１２の上端開口より上方に位置すると、水がオーバーフロー管１２の上端開口から内部に流入して下端部で排水口１５の内側の弁座１５ａを通ってタンク本体１０の下方に排出されて便器本体２に流入する。
【００１７】
また、タンク本体１０は、その上面１７が例えば平面視略四角形状を有しており、下面は上面１７よりも縮径された底面１８を有しており、底面１８の中央付近に排水口１５が下方に突出している。また、タンク本体１０の外面は便器本体２を備えた側を前面１０ａとし、前面１０ａに対向するトイレ室の壁面側の面を背面１０ｂとし、前面１０ａと背面１０ｂで挟まれた側部を側面１０ｃ、１０ｄとする。タンク本体１０の上部領域は洗浄水の貯水量を確保するためにできるだけ外側に拡径して形成していることが好ましい。
図２において、両側面１０ｃ、１０ｄは高さ方向の中間部で下方に向けて縮径するよう湾曲して傾斜している。タンク本体１０の一方の側面１０ｃ（例えば図２において左側）は比較的大きく縮径する第一傾斜面１９を有し、対向する他方の側面１０ｄ（例えば図２において右側）は比較的小さく縮径する第二傾斜面２０を有している。しかも、第二傾斜面２０は第一傾斜面１９よりも下側に形成されている。
【００１８】
第一傾斜面１９は、その湾曲面の半径Ｒ１が可変で比較的大きく設定されて凸曲面を形成している。第一傾斜面１９の下側には垂直面に近い斜面をもって底面１８に到達する略垂直の下部第一側面２１を有している。また、第二傾斜面２０はその湾曲面の半径Ｒ２が可変で比較的小さく設定されて凸曲面を形成している。第二傾斜面２０の下側には略垂直面をもって底面１８に到達する下部第二側面２２を有している。
第一傾斜面１９の半径Ｒ１と第二傾斜面２０の半径Ｒ２は、各第一及び第二傾斜面１９，２０やその上下部に結露する水滴(結露水という)が落下することなく第一傾斜面１９と第二傾斜面２０に沿って下部第一及び第二側面２１，２２を伝わって底面１８まで流れるように形成されている。第二傾斜面２０の半径Ｒ２は例えば３０ｍｍまたはそれ以上に設定されており、第一傾斜面１９の半径Ｒ１は例えば半径Ｒ２と同一かより大きく設定されている。なお、第一傾斜面１９と第二傾斜面２０における半径Ｒ１，Ｒ２の各曲面は同程度の大きさでもよいし、第二傾斜面２０の方が大きくてもよい。
また、タンク本体１０の前面１０ａはベースプレート１１上に電気部品を設置するために底面１８近傍で下側に向けて若干縮径するように傾斜していてもよい。なお、背面１０ｂの下部に形成した傾斜面は前面１０ａの下部に形成した傾斜面よりも側面１０ｃ、１０ｄ側に位置する。
【００１９】
次にベースプレート１１について図３により説明する。ベースプレート１１は、タンク本体１０を連結すると共にその両側部に後述する便器機能部品３１と脱臭器３２を設置可能な基板である。
ベースプレート１１は、タンク本体１０の底面１８に設けた排水口１５を下方に挿通させる開口２３を有している。開口２３の周囲にタンク本体１０の前面１０ａ、背面１０ｂ、両側面１０ｃ、１０ｄから流れ落ちる結露水や水滴を受けて便器本体２に流す水受け部として例えば水受け皿２４を形成する仕切壁２４ａが形成されている。水受け皿２４の仕切壁２４ａは平面視で例えば略四角形状に形成されている。水受け皿２４に設けた後述の爪部２５と嵌合受け部２６はタンク本体１０の縮径した底面１８に設けた後述の爪片２８と嵌合部２９を受けて固定しており、上面１７より小さい面積に設定されている。
しかも、水受け皿２４の内部には、開口２３を挟んで対向する位置に断面略Ｌ字状の一対の爪部２５とその外側に形成された断面略Ｕ字状の一対の嵌合受け部２６を上方に突出させて形成している。爪部２５はその両側部に仕切壁を有している。しかも、各爪部２５の基部には穴部３４が形成されている。そのため、水受け皿２４に流入する結露水等は穴部３４を通って下方の便器本体２内に落下する。
【００２０】
一方、タンク本体１０の底面１８には、爪部２５に係合可能な断面略Ｌ字状をなす一対の爪片２８と嵌合受け部２６に係合可能な断面略Ｔ字状をなす一対の嵌合部２９とを形成している。しかも、一対の嵌合部２９は爪片２８よりも下方に突出して長く形成されている。
そのため、ベースプレート１１にタンク本体１０を係合する際、タンク本体１０の外側に位置する略Ｔ字状の一対の嵌合部２９が先にベースプレート１１の嵌合受け部２６に係合し、次いで爪片２８が爪部２５に係合することで連結される。タンク本体１０がベースプレート１１に連結された状態で、タンク本体１０の底面１８は水受け皿２４内に位置し、タンク本体１０の外面に付着した結露水や水滴は水受け皿２４に誘導されることになる。
【００２１】
図２に示す洗浄水タンク装置６において、タンク本体１０がベースプレート１１に連結された状態で、タンク本体１０の縮径された下部の領域において、一方の側面１０ｃにおける第一傾斜面１９の下側のスペースＫ１と他方の側面１０ｄにおける第二傾斜面２０の下側のスペースＫ２とが形成される。スペースＫ１は水受け皿２４の左側上方であって、ベースプレート１１の上部（下部第一側面２１の側部）に位置する。スペースＫ２は水受け皿２４の右側上方であって、ベースプレート１１の上部（下部第二側面２２の側部）に位置する。
そして、図４及び図５に示すように、洗浄水タンク装置６には、ベースプレート１１上でスペースＫ１には例えば局部を温水洗浄するための便器機能部品３１が設置される。なお、便器機能部品とは局部洗浄装置であり、温水供給ユニット、温風乾燥ユニット、脱臭ユニットを含む。しかも、特に水を嫌う電気部品をいう。また、スペースＫ２には例えば脱臭用の電気部品と脱臭フィルター等を備えた脱臭器３２が設置される。しかも、これらに関連するまたは別個の電気部品３３や洗浄ノズル３７がタンク本体１０の前面１０ａ側に設置されている。なお、本発明において、便器機能部品は脱臭器を含む概念であるが、本実施形態の具体例では便器機能部品３１は脱臭器３２を除いたものとした。
なお、タンク本体１０の一方の側面１０ｃには湾曲面からなる段差１０ｃａが上下方向に形成され、その上部には水道水をタンク本体１０内のボールタップ９に供給する給水管３５が接続されている。また、上述の配置に代えて、脱臭器３２はスペースＫ１に設置しても良いし、便器機能部品３１はスペースＫ２に設置しても良い。
【００２２】
本実施形態による温水洗浄便器１の洗浄水タンク装置６は上述の構成を備えており、次にその作用について説明する。
本実施形態による温水洗浄便器１において、給水管３５を通して水道水がロータンク５のタンク本体１０内にボールタップ９によって洗浄水として供給され、所定の高さまで貯留される。この状態で保持されると、タンク本体１０の外面には内部に貯留した洗浄水の水面ラインより下側に結露することがある。そして、タンク本体１０の前面１０ａと背面１０ｂに付着する結露水は下方への傾斜がないか小さいので前面１０ａと背面１０ｂを伝わってベースプレート１１上の水受け皿２４上に流れ落ちる。水受け皿２４に流れ落ちた結露水は爪部２５の内側に形成した穴部３４から便器本体２内に排出される。
【００２３】
また、タンク本体１０の両側面１０ｃ、１０ｄに付着する結露水は、それぞれ第一傾斜面１９と第二傾斜面２０の凸曲面を伝わって下部第一側面２１と下部第二側面２２を経由して水受け皿２４上に流れ落ちる。そのため、ベースプレート１１上のタンク本体１０の底面１８の両側のスペースＫ１、Ｋ２に設けた便器機能部品３１と脱臭器３２は、側面１０ｃの第一傾斜面１９と側面１０ｄの第二傾斜面２０の下側に位置するが、側面１０ｃ、１０ｄに付着する結露水が第一傾斜面１９と第二傾斜面２０で分離して便器機能部品３１や脱臭器３２に落下することを防止できる。
【００２４】
上述したように本実施形態による温水洗浄便器１の洗浄水タンク装置６によれば、タンク本体１０の両側面１０ｃ、１０ｄにおける第一傾斜面１９と第二傾斜面２０の下側のスペースＫ１、Ｋ２に便器機能部品３１と脱臭用電気部品等を備えた脱臭器３２とを設置したため、省スペース化できて水受け皿２４も小さくでき、洗浄水タンク装置６を小型化できる。
しかも、タンク本体１０内に貯留した洗浄水の水面ラインより下側の外面に結露水が付着したとしても、外面の前面１０ａと背面１０ｂはもとより、両側面１０ｃ、１０ｄにおいても、第一傾斜面１９、第二傾斜面２０の凸曲面に沿って下方に伝い落ちてベースプレート１１の水受け皿２４に誘導できる。そのため、側面１０ｃ、１０ｄに第一傾斜面１９、第二傾斜面２０を設けても、これら第一及び第二傾斜面１９，２０の途中で便器機能部品３１や脱臭器３２に落下して濡れることがなく、劣化や損傷を防いで安全である。
【００２５】
なお、本発明による温水洗浄便器１の洗浄水タンク装置６は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明を省略する。
例えば上述した実施形態による洗浄水タンク装置６ではタンク本体１０の両側面１０ｃ、１０ｄに第一傾斜面１９と第二傾斜面２０をそれぞれ形成したが、一方の側面１０ｃ、１０ｄにのみ凸曲面からなる第一傾斜面１９または第二傾斜面２０を設けてもよい。この場合には一方の傾斜面１９，２０の下側に便器機能部品３１や脱臭器３２の両方または一方を設置することができる。
【００２６】
また、図６に示す洗浄水タンク装置６は上述した実施形態による洗浄水タンク装置６の変形例を示す模式図である。図６（ａ）に示す第一変形例では、タンク本体１０Ａの一方の側面１０ｃが断面直線状の傾斜面に形成され、他方の側面１０ｄは略垂直面とされている。この場合、一方の側面１０ｃの下部にスペースＫ１が形成され、このスペースＫ１内に脱臭器３２を含む便器機能部品３１が設置されることになる。
本第一変形例による洗浄水タンク装置６では、一方の側面１０ｃの傾斜面の傾斜角は鉛直線に対して例えば５０°以下の傾斜角θに設定することが好ましい。傾斜角θ以下の傾斜面を有する側面１０ｃであれば、結露水を滴下させないで側面１０ｃに沿って水受け皿２４に流れ落ちるようにすることができる。
【００２７】
また、図６（ｂ）に示す第二変形例では、タンク本体１０Ｂの両側の側面１０ｃ、１０ｄが断面直線状の傾斜面に形成されている。この場合、タンク本体１０Ｂの両側面１０ｃ、１０ｄの下側にスペースＫ１、Ｋ２が形成される。このスペースＫ１、Ｋ２内に便器機能部品３１や脱臭器３２がそれぞれ設置される。この場合でも、タンク本体１０Ｂの外面の各側面１０ｃ、１０ｄに付着する結露水は各側面１０ｃ、１０ｄの傾斜面に沿って水受け皿２４まで流れ落ちる。
【００２８】
なお、上述した実施形態や変形例による洗浄水タンク装置６では、タンク本体１０，１０Ａ、１０Ｂの側面１０ｃ、１０ｄに凸曲面や傾斜面を形成するようにしたが、前面１０ａにのみ結露水が流れ落ちる凸曲面や傾斜面を形成してその下側のスペースに便器機能部品３１や脱臭器３２等を設置してもよい。
また、凸曲面は曲面によって形成するものに限定されるものではなく、幅の小さい平面を連続して傾斜角度を少しずつ変えることで全体で概略の凸曲面を形成するようにしてもよい。本発明によるタンク本体１０、１０Ａ、１０Ｂにおける外面は結露水が滴下することなく外面に沿って底面１８まで流れ落ちる程度の湾曲面や傾斜面を形成すればよい。
【００２９】
なお、上述した実施形態や変形例ではロータンク５のタンクカバー７内のタンク本体１０に付着する結露水の回収について述べたが、タンク本体１０の外面を流れ落ちる水は結露水に限定されるものではなく、洗浄水のはね等の水滴も含むものとする。
また、本発明による洗浄水タンク装置は、ロータンク５に限定されることなく、温水洗浄便器１に採用する適宜のタンクに適用できる。
【符号の説明】
【００３０】
１  温水洗浄便器
２  便器本体
５  ロータンク
６  洗浄水タンク装置
１０  タンク本体
１０ａ  前面
１０ｃ、１０ｄ  側面
１１  ベースプレート
１５  排水口
１８  底面
１９  第一傾斜面
２０  第二傾斜面
２４  水受け皿
３１  便器機能部品
３２  脱臭器
Ｋ１、Ｋ２  スペース
【図１】
2016191240.tif 000003
【図２】
2016191240.tif 000004
【図４】
2016191240.tif 000005
【図５】
2016191240.tif 000006
【図６】
2016191240.tif 000007
【図３】
2016191240.tif 000008